(57)【要約】【課題】ワイシャツのポケットに収納した場合にあっても安定性があって落下を防止することができ、そしてワイシャツのポケットに収納した時に携帯箸袋を携帯しているような印象を与えずに、スマートな携帯物を所持しているような印象を与えることができる携帯箸袋を提供する。【解決手段】使用箸が内袋内に収納された時に一対のマジックテープの中間地点で袋体が折り曲げられて一対のマジックテープが接合されて開放された一方口が閉塞され、装着止め具によって布地に装着可能とされ、この装着止め具によって布地に装着された時に、袋体の折り曲げ部が外袋の外表面側に折り曲げられる。【選択図】図１
0003151706.tif 000002
【実用新案登録請求の範囲】
【請求項１】
縦長の柔軟性のある材料によって形成され、縦長方向の一方口が開放され、他方口が閉塞された袋体に形成されてこの袋体に所有者専用の使用箸が収納されるようにした携帯箸袋において、
前記袋体は、外袋と内袋とからなり、内袋は外袋内に収納され、収納された時に内袋はその外端部が外袋からわずかに外方にはさみ出されてその内部に使用箸が収納可能とされ、
前記外袋の外表面であって、開放された一方口側には、間隔を置いて貼着された一対のマジックテープが設けられ、前記袋体が一対のマジックテープの中間地点で折り曲げられた時に一対のマジックテープが接合可能とされ、
前記外袋の反対側の外表面であって、閉塞された他方口側には、回転部がバネ具を締めつけ、バネ具が挟み部に布地を挟みつけさせ、全体が布地に袋留めで装着されるようにされた装着止め具が袋留めを中心にして揺動可能に構成され、
使用箸が前記内袋内に収納された時に前記一対のマジックテープの中間地点で前記袋体が折り曲げられて一対のマジックテープが接合されて開放された一方口が閉塞され、前記装着止め具によって布地に装着可能とされ、該装着止め具によって布地に装着された時に、前記袋体の折り曲げ部が前記外袋の外表面側に折り曲げられていること
を特徴とする携帯箸袋。
【請求項２】
請求項１において、前記袋留めによる袋留め位置が他方口側端から１１〜１４ｃｍの位置に設定されることを特徴とする携帯箸袋。
【考案の詳細な説明】
【技術分野】
【０００１】
本考案は、携帯用の箸を入れるための袋に関する。
【背景技術】
【０００２】
各家庭で各自個人専用の箸が特定されて管理、使用される。外食時においても環境保護の目的などから、割り箸を使用しないで個人専用の箸を携帯することが増えている。このような個人専用の箸を携帯するために、種々の携帯ケースあるいは袋が提案されている。
【０００３】
特許文献１には、小さなバッグや上着のポケット等に収納し易くするために、挿入部を被挿入部に挿入自在とすることが記載されている。
【０００４】
【特許文献１】実用新案登録第３１３９８８１号公報
【考案の開示】
【考案が解決しようとする課題】
【０００５】
特許文献１に示されるように、軟質性の材質からなる略長方形状で且つ長手方向に沿って出し入れ口が形成された収納部を形成することによって小さなバッグや上着のポケット等に収納することの出来る携帯箸袋が提供される。バッグを所持していなかったり、あるいは上着を着用していない場合には従来の携帯箸袋にあっては携帯がおっくうであったりする。ワイシャツのポケットに収納することもあるが、携帯箸袋が長手方向に長いために不安定であるために落としたりすることがあり、ワイシャツのポケットで保持することは一般的ではない。
【０００６】
本考案は、かかる点に鑑みてワイシャツのポケットに収納した場合にあっても安定性があって落下を防止することができ、そしてワイシャツのポケットに収納した時に携帯箸袋を携帯しているような印象を与えずに、スマートな携帯物を所持しているような印象を与えることができる携帯箸袋を提供することを目的とする。
【課題を解決するための手段】
【０００７】
本発明は、縦長の柔軟性のある材料によって形成され、縦長方向の一方口が開放され、他方口が閉塞された袋体に形成されてこの袋体に所有者専用の使用箸が収納されるようにした携帯箸袋において、
前記袋体は、外袋と内袋とからなり、内袋は外袋内に収納され、収納された時に内袋はその外端部が外袋からわずかに外方にはさみ出されてその内部に使用箸が収納可能とされ、
前記外袋の外表面であって、開放された一方口側には、間隔を置いて貼着された一対のマジックテープが設けられ、前記袋体が一対のマジックテープの中間地点で折り曲げられた時に一対のマジックテープが接合可能とされ、
前記外袋の反対側の外表面であって、閉塞された他方口側には、回転部がバネ具を締めつけ、バネ具が挟み部に布地を挟みつけさせ、全体が布地に袋留めで装着されるようにされた装着止め具が袋留めを中心にして揺動可能に構成され、
使用箸が前記内袋内に収納された時に前記一対のマジックテープの中間地点で前記袋体が折り曲げられて一対のマジックテープが接合されて開放された一方口が閉塞され、前記装着止め具によって布地に装着可能とされ、該装着止め具によって布地に装着された時に、前記袋体の折り曲げ部が前記外袋の外表面側に折り曲げられていること
を特徴とする携帯箸袋を提供する。
【０００８】
本発明は、また、前記袋留めによる袋留め位置が他方口側端から１１〜１４ｃｍの位置に設定されることを特徴とする携帯箸袋を提供する。
【考案の効果】
【０００９】
本考案によれば、使用箸が内袋内に収納された時に一対のマジックテープの中間地点で袋体が折り曲げられて一対のマジックテープが接合されて開放された一方口が閉塞され、装着止め具によって布地に装着可能とされ、この装着止め具によって布地に装着された時に、袋体の折り曲げ部が外袋の外表面側に折り曲げられていることによって、ワイシャツのポケットに収納した場合にあっても安定性があって落下を防止することができ、そしてワイシャツのポケットに収納した時に携帯箸袋を携帯しているような印象を与えずに、スマートな携帯物を所持しているような印象を与えることのできる携帯箸袋が提供される。
【考案を実施するための最良の形態】
【００１０】
以下、本考案にかかる実施例を図面に基づいて説明する。
【実施例】
【００１１】
図面（図１）は、本考案の実施例を示す図であり、図１（ａ）は構成部品を示し、図１（ｂ）は組み立てた状態を示し、図１（ｃ）は使用時状態を示し、その（ｉ）が外表面側（表側）から見た状態、その（ii）が反対側（裏側）から見た状態を示している。
【００１２】
図１（ａ）に示すように、携帯箸（すなわちマイ箸と呼ばれる場合がある。）袋１００は、外袋１および内袋２からなる袋体（袋本体）１０、装着止め具３、一対のマジックテープ（登録商標）４、５から構成される。なお、図１（ｂ）において、構造を判り易く図示するために下側に対して上側は１８０°反転しているが、実施例そのものがこのようになっているわけではない。
【００１３】
袋体１０は、外袋１および内袋２からなり、内袋２は外袋１内に収納され、収納された時に、内袋２にその外端部がはみ出し２１として外袋１からわずかに外方にはみ出す長さとされ、取り扱いが容易とされる。はみ出し長さは１〜２ｃｍとすることが望ましい。
【００１４】
外袋１は、共に縦長の柔軟性のある材料、例えば麻（アサ）系の材料を用いて形成される。内袋２は、洗濯しやすく、形状が変化しにくく、縮んだりしない材料を選択するのがよい。例えば、綿が選択される。すなわち袋体１０は軟質性の材質からなる略長方形状に形成される。麻を用いることによって摩擦係数を増大させて、収納した箸が飛び出す抵抗力を増加させ、飛び出しにくいものとすることができる。外袋１の場合、麻以外の材料、例えば合成樹脂で作られた布、あるいは綿布であってもよい。
【００１５】
外袋１および内袋２は、共に縦長方向の一方口２２、２３が開放され、他方口２４、２５が閉塞された袋体状に形成される。外袋１の寸法は、収納する箸の長さによって決定すればよいが、例えば３０ｃｍ程度とすることができる。せいぜい２５〜４５ｃｍ程である。従って、収納する箸の長さに対応して外袋１の寸法を決定することが望ましい。
【００１６】
内袋２の一方口２３は綿を一部ほどいた状態とされ、この部分が飾りとされ、この一方口２３から個人専用の箸（マイ箸）６が挿入され、収納される。この箸６を内袋２に収納した状態で、箸６の固さを利用して内袋２が外袋１の一方口２２から矢印で示すように、外袋１の内部に挿入され、収納される。内袋２の外袋１からの取り出しははみ出し２１を利用して行う。
【００１７】
このように、袋体１０である箸袋は二重構造とされる。外袋１に内袋２を収納する形体とすることによって内袋２のみを洗濯することができ、清潔さを保つことが容易となる。
【００１８】
なお、外袋１、内袋２は当初から袋状のものを使用してもよいが、一枚の布地を使用する場合には図に示すように折られて端部、（側端部、下端部）が縫合７されて袋状態とされる。また、外袋１の外表面にはトンボ、花柄等の絵柄が印刷あるいは刺繍されていることが望ましい。
【００１９】
このように、縦長の柔軟性のある材料によって形成され、縦長方向の一方口２２、２３が開放され、他方口２４、２５が閉塞された袋体１０（外袋１、内袋２）が形成され、この袋体１０を形成する内袋２の内部に所有者専用の使用箸が収納され得ることになる。
【００２０】
一対のマジックテープ４、５が準備され、一対のマジックテープ４、５が外袋１の外表面であって、開放された一方口側において、間隔を置いて貼着される。この間隔は５ｃｍ程である。図において貼着地が外袋１、内袋２について点線４１、５１で示してある。４０、５０はそれぞれ接合子である。袋体１０が一対のマジックテープ４、５の中間地点でマジックテープ側に折り曲げられた時に一対のマジックテープ４、５は接合可能とされる。このようにマジックテープ４、５による折り返し留めを可能とし、折り返し留めを行うことによって開放された一方口２２、２３は閉塞された状態となる。
【００２１】
装着止め具３が準備される。この装着止め具３には、市販の止め具が好ましく使用される。この装着止め具３は、特公平１−１５０６９号公報に記載されているように、平板部３１と突起部３２とからなる本体に回転部３４を回転軸３３を中心にして回転可能に取り付け、平板部３１と回転部３４との間に挟み部３５を介在させ、挟み部３５の上側にバネ具３６を配設することによって構成される。平板部３１と挟み部３５の先端部には対向した配置で止め子３８、３９が設けてある。
【００２２】
このような構成によって、回転部３４が回転されると回転操作部と反対側の作業部がバネ具３６を押圧して締めつけ、バネ具３６が挟み部３５に平板部３１との間で布地を挟みつけさせ、全体が布地に装着される。簡単に取り付けられるものであれば他の構造の装着止め具であってもよい。
【００２３】
外袋１の前述した外表面と反対側の外表面に袋留め位置１５が決定される。平板部３１の下端部には穴があけられて袋留め３７が形成してあり、装着止め具３は袋留め３７を利用して布地に縫着される。この縫着は糸によってなされるため、全体が布地に袋留めで装着されるようにされた装着止め具３は袋留め３７を中心にして揺動可能に構成される。
【００２４】
布地は多くの場合、背広の内ポケットの布地あるいはワイシャツのポケットの布地であり、好ましくはワイシャツのポケットの布地である。
【００２５】
このように、外袋１の外表面に一対のマジックテープ４、５が貼着され、外袋１の反対側の外表面に装着止め具３が装着される。装着止め具３は、その平板部３１の下端部に袋留め３７が形成され、上側に向って配置され、縫着されるので、装着留め具３は下方に向けて極めて簡単に回動、すなわち揺動することができる。逆向きにしてもよい。
【００２６】
ワイシャツのポケットの大きさ、すなわちポケット深に対応して袋留めの位置が決定される。例えば袋留め位置はポケットの底部から１１〜１４ｃｍ、望ましくは１２〜１３ｃｍとされる。図１（ｂ）に示すように、使用箸６が内袋内に収納された時に、一対のマジックテープ４、５がその中間点（折れ曲り目）１１でマジックテープ４、５側に折り曲げられて一対のマジックテープ４、５が接合される。
【００２７】
図１（ｃ）に示すように、一対のマジックテープ４、５が接合されて開放された一方口２２、２３が閉塞される（図１（ｃ））。袋体１０は、装着止め具３によって布地に装着可能とされ、装着止め具３によってワイシャツのポケットの入り口上端の布地に装着された時に、袋体１０の折れ曲げ部１２は外袋１の外表面側に折り曲げられ、装着止め具３は外袋１の裏側に隠されて正面側からは見えないか、見ずらいものとなる（図１（ｃ）（ｉ）（ii））。このようにして外表面側に折り曲げた状態で装着止め具３を操作して装着止め具３によって携帯箸袋１００をワイシャツのポケットに装着する。この装着に際しては袋留めの揺動可能な柔軟性を用いて装着止め具３の挟み部３５を下方に向けてワイシャツのポケットの布地とバネ力によって挟みつけさせる。なお、図１（ｃ）（ｉ）の図には外袋１の表面にトンボの図柄が図示してある。この図柄は当然に図１（ａ）に示す外袋１の表面にも存在するが、わずらわしくなるので図１（ａ）では削除してある。
【００２８】
このようにして構成された携帯箸袋は小形にして容易に箸を収納することができ、箸を収納した状態でワイシャツのポケットに何げなく収納した時に落下することがなく、見映えがよく、クールビズの夏にでも、装着した状態で外出してもおかしくなく、かえってオシャレ感覚を楽しみ、昼食、夕食に使用者は使用者専用の箸を使用することができる。勿論、背広の内ポケットに収納することが可能である。
【図面の簡単な説明】
【００２９】
【図１】本考案の構成を示す図で、図１（ａ）は構成部品、図１（ｂ）は組み立て状態図、図１（ｃ）は使用状態を示す図である。
【符号の説明】
【００３０】
１…外袋、２…内袋、３…装着止め具、４，５…マジックテープ、６…箸、７，８…縫目、１０…袋体、１１…マジックテープの中間点（折れ曲り目）、１２…折れ曲げ部、３１…平板部、３２…突起部、３３…回転軸、３４…回転部、３５…挟み部、３６…バネ具、３７…袋留め、３８，３９…止め子、１００…携帯箸（マイ箸）袋。
【図１】
0003151706.tif 000003